(57)【要約】【課題】携帯電話機において、簡単な操作で必要な時にだけ必要な部分のみを照明して電力の浪費を防ぐとともに、製造コストを抑える。【解決手段】携帯電話機１のＣＰＵ１１は、入力部１２からの入力信号にもとづいて周囲の明るさを判断し、周囲が明るい場合には暗フラグを０、暗い場合には暗フラグを１に設定する。そして、暗フラグを利用して照明制御処理１、撮影制御処理、及び照明制御処理２を実行する。【選択図】　　　　　図２
2004023357.tif 000002
【特許請求の範囲】
【請求項１】
操作部と、表示部と、これら操作部及び表示部の少なくとも一方を照明する照明手段とを備えた携帯電話機において、
前記操作部からの入力に基づいて周囲の明るさを判別する明暗判別手段と、
前記明暗判別手段により判別された明るさに基づいて前記照明手段を制御し、前記操作部及び前記表示部の一方又は双方を照明させる照明制御手段と、
を備えることを特徴とする携帯電話機。
【請求項２】
前記操作部からの入力に基づいて時間を計時する計時手段を更に備え、
前記照明制御手段は、前記計時手段により所定の時間が計時されるまで前記照明手段による前記操作部及び前記表示部の一方又は双方の照明を実行させることを特徴とする請求項１記載の携帯電話機。
【請求項３】
前記照明制御手段は、前記明暗判別手段により周囲が明るいと判別されると、前記照明手段により前記表示部を第１の照明強度で照明させ、前記明暗判別手段により周囲が暗いと判別されると、前記照明手段により前記操作部を照明させるとともに前記表示部を前記第１の照明強度よりも弱い第２の強度により照明させることを特徴とする請求項１又は２記載の携帯電話機。
【請求項４】
前記計時手段は、計時中に前記操作部からの入力があると、計時しなおすことを特徴とする請求項２又は３記載の携帯電話機。
【請求項５】
前記操作部は、前記照明手段による照明の指示を入力するための専用キーを有することを特徴とする請求項１〜５の何れか一項に記載の携帯電話機。
【請求項６】
画像を撮像する撮像手段を備え、
前記照明制御手段は、前記操作部から撮像指示が入力された場合に、前記明暗判別手段により周囲が暗いと判別されると、前記撮像手段の感度を高く設定する制御及び前記照明手段により前記撮像手段の被写体を照明させる制御のうち一方又は双方を実行することを特徴とする請求項１〜５の何れか一項に記載の携帯電話機。
【請求項７】
明るさの閾値を記憶する記憶手段と、
前記撮像手段により撮像された画像の明るさと前記記憶手段に記憶された閾値とを比較する比較手段と、
を備え、
前記照明制御手段は、前記比較手段による比較結果に基づいて前記照明手段を制御することを特徴とする請求項６記載の携帯電話機。
【発明の詳細な説明】
【０００１】
【発明の属する技術分野】
本発明は、携帯電話機に関する。
【０００２】
【従来の技術】
近時、携帯電話機において、操作部からの入力が所定時間以上ない場合に、操作部や表示部の照明を自動的にＯＦＦにして消費電力を抑え、キー入力がなされるとタイマーを起動して任意の時間照明をＯＮにする機能が普及している。ところが、従来の携帯電話機に搭載されている照明制御によると、周囲が明るく照明が不要な場合でもキー入力を検出すると、操作部や表示部の照明が自動的にＯＮにされ、電力を浪費するという問題があった。また、例えば、操作部の照明の設定を予めＯＦＦにしておくと、ユーザが暗い場所などに移動して照明が必要になったとき、照明の設定をしなおさなければならず、操作が煩雑であった。
【０００３】
上記のような問題を改善するため、日中や屋内でも周囲が明るく携帯電話機の照明が不要な場合に、照明をＯＦＦにして無駄な電力の消費を防ぐ発明として、例えば、特開平０５−２３１８７１号に、内蔵された時計の時刻に応じて照明のＯＮ／ＯＦＦ制御を行う「携帯型測位装置」が開示されている。また、特開平０９−２５２３４２号に開示されている「表示機能付き携帯型電話機」は、周囲の明るさを検出する光量検出部を備え、周囲が暗く、かつ携帯型電話機が使用状態であるときに照明を点灯する。
【０００４】
また、特開平１１−２８４７１２号に開示された「バックライトＯＮ／ＯＦＦ機能付き携帯電話機」は、バックライトキーを備え、バックライトキーによるＯＮ／ＯＦＦ設定に応じてバックライトの点灯、消灯を切り替える。この他、特開平０９−６２１９８号の「表示装置及び携帯端末」は、表示画面を複数領域に分割し、各領域を個別に照明し、不要な領域の照明をＯＦＦにする。また、分割された領域に対応する所定のキーが押下されると照明のＯＮ／ＯＦＦを切り替え、点灯してから一定時間が経過すると消灯する。
【０００５】
【発明が解決しようとする課題】
しかしながら、上記の携帯型測位装置は、時間帯の情報で照明のＯＮ／ＯＦＦ制御を行うため、昼間でも暗い場所では照明がＯＦＦとなり、表示部や操作部が見にくいため、操作しにくかった。また、上記の表示機能付き携帯型電話機は、周囲環境の明るさに応じて照明をＯＮ／ＯＦＦ制御するため使いやすいが、光量検出部を搭載することで部品点数が多くなり、小型化への支障となり、コストがかかった。
【０００６】
一方、上記バックライトＯＮ／ＯＦＦ機能付き携帯電話機は、照明のＯＮ／ＯＦＦ設定をユーザに任せることで消費電力を抑えているが、近年の画面表示のカラー化に伴い、透過型や半透過型の液晶が表示部に使用されるようになり、この液晶は白黒液晶よりも表示が暗くなるため照明が必要な場合が多く、照明のＯＮ／ＯＦＦ設定を頻繁に切り替えねばならず、操作が煩雑であった。また、上記の表示装置及び携帯端末は、表示画面上の照明が不要な領域を消灯して消費電力を抑えることができるが、ユーザは領域ごとの照明のＯＮ／ＯＦＦ設定作業を手動で必要に応じてその都度行わなければならず、操作が煩雑であった。また、所定キーが押されて入力が行われると、周囲が明るく照明が不要な場合にも所定キーに対応した領域の照明がＯＮとなり、電力を浪費していた。
【０００７】
本発明の課題は、簡単な操作で必要な時にだけ必要な部分のみを照明して、電力の浪費を防ぐとともに、製造コストを抑えた携帯電話機を提供することである。
【０００８】
【課題を解決するための手段】
このような課題を解決するため、本発明は、操作部と、表示部と、これら操作部及び表示部の少なくとも一方を照明する照明手段とを備えた携帯電話機において、
前記操作部からの入力に基づいて周囲の明るさを判別する明暗判別手段と、
前記明暗判別手段により判別された明るさに基づいて前記照明手段を制御し、前記操作部及び前記表示部の一方又は双方を照明させる照明制御手段と、
を備えることを特徴としている。
【０００９】
更に本発明は、前記操作部からの入力に基づいて時間を計時する計時手段を更に備え、前記照明制御手段は、前記計時手段により所定の時間が計時されるまで前記照明手段に前記操作部及び前記表示部の一方又は双方の照明を実行させることが好ましい。
【００１０】
更に本発明は、前記照明制御手段は、前記明暗判別手段により周囲が明るいと判別されると、前記照明手段により前記表示部を第１の照明強度で照明させ、前記明暗判別手段により周囲が暗いと判別されると、前記照明手段により前記操作部を照明させるとともに前記表示部を前記第１の照明強度よりも弱い第２の強度により照明させることが好ましい。
【００１１】
更に本発明は、前記計時手段は、計時中に前記操作部からの入力があると、計時しなおすことが好ましい。
【００１２】
更に本発明は、前記操作部は、前記照明手段による照明の指示を入力するための専用キーを有することが好ましい。
【００１３】
更に本発明は、画像を撮像する撮像手段を備え、前記照明制御手段は、前記操作部から撮像指示が入力された場合に、前記明暗判別手段により周囲が暗いと判別されると、前記撮像手段の感度を高く設定する制御及び前記照明手段により前記撮像手段の被写体を照明させる制御のうち一方又は双方を実行することが好ましい。
【００１４】
更に本発明は、明るさの閾値を記憶する記憶手段と、前記撮像手段により撮像された画像の明るさと前記記憶手段に記憶された閾値とを比較する比較手段とを備え、前記照明制御手段は、前記比較手段による比較結果に基づいて前記照明手段を制御することが好ましい。
【００１５】
【発明の実施の形態】
以下、図１〜図５を参照して、本発明を適用した一実施の形態による携帯電話機について説明する。
【００１６】
まず、構成を説明する。
図１は、本発明の一実施の形態による携帯電話１の外観構成例である。（ａ）は正面（表示画面側）から見た図であり、（ｂ）は、背面（カメラ側）から見た図である。図１に示すように、携帯電話１は、文字を含む画像を表示するためのメイン表示画面２、照明を点灯する指示を入力するための照明キー３、テンキーやシャッターキーなどを含む操作入力のための操作キー群４、カメラ５、カメラ用のフラッシュ６、サブ表示画面７、無線通信を行うためのアンテナ１４１を備える。
【００１７】
図２は、携帯電話１の機能的構成を示すブロック図である。図２に示すように、携帯電話１は、ＣＰＵ１１、入力部１２、表示部１３、アンテナ１４１を備える無線通信部１４、記憶装置１５、送受話部１６、撮影部１７、Ｉ／Ｆ１８、計時部１９、照明装置２０により構成され、各部は相互にデータの授受が可能なようにバス２１により接続されている。
【００１８】
ＣＰＵ（Ｃｅｎｔｒａｌ　Ｐｒｏｃｅｓｓｉｎｇ　Ｕｎｉｔ）１１は、入力部１２や無線通信制御部１４から入力される受信データに応じて、記憶装置１５に格納された携帯電話用の各種処理プログラムに従って各種の制御動作を行う。具体的には、ＣＰＵ１１は、入力部１２を介して入力される指示に従って、後述する照明制御処理１、撮影制御処理、又は照明制御処理２を実行する。
なお、ＣＰＵ１１は、請求項に記載の明暗判別手段、照明制御手段、及び比較手段としての機能を有する。
【００１９】
ＣＰＵ１１は、入力部１２からの指示入力により照明制御処理１が選択されると、照明を全てＯＦＦにして、暗フラグを０に設定して照明制御処理１を実行する。ここで、暗フラグとは、携帯電話１が明るい又は暗い環境にあることを０又は１の数値で示す指標である。例えば、ＣＰＵ１１は、照明キー３の押下信号が入力されると、暗フラグを１にしてメイン表示画面２及びサブ表示画面７を弱く照明し、照明キー３及び操作キー群４を一定の明るさで照明する。これは、照明キー３の押下によりユーザから照明の要求が入力されたことが、携帯電話１が暗い環境にあることを意味し、液晶画面は暗い環境では弱く照明した方が眩し過ぎず見やすく、また消費電力を抑えることができるためである。なお、照明キー３及び操作キー群４の照明は常に一定の明るさで行う。
【００２０】
ＣＰＵ１１は、暗フラグを１に設定すると同時に、計時部１９にＴ１タイマ及びＴ２タイマを起動する指示を出力して所定時間ｔ１を計時させ、計時中に操作キー群４の何れかのキーが押下されると、計時部１９にＴ１タイマ及びＴ２タイマを再起動させて所定時間ｔ１、ｔ２を計時しなおさせる。ここで、所定時間ｔ１は所定時間ｔ２より長く、例えば所定時間ｔ１が３分、所定時間ｔ２が３０秒に設定される。
【００２１】
そして、ＣＰＵ１１は、計時部１９から所定時間ｔ２の計時終了を示す信号が入力されると、照明を全てＯＦＦにする。ＣＰＵ１１は、照明をＯＦＦにした後、所定時間ｔ１が経過するまで暗フラグを１に保ち、所定時間ｔ１が経過する前にキー入力があれば、照明装置２０により再びメイン表示画面２及びサブ表示画面７を弱く照明させるとともに、操作キー群４を照明させる。また、消灯後にキー入力がなく、所定時間ｔ１の計時終了を示す信号が入力されると、暗フラグを０に設定する。
【００２２】
一方、ＣＰＵ１１は、照明制御処理１において照明キー３が押されずに操作キー群４の何れかのキーが押下されると、暗フラグを０にして、照明装置２０によりメイン表示画面２及びサブ表示画面７を強く照明し、照明キー３及び操作キー群４を通常の明るさで照明する。これは、照明キー３の押下なしに操作キー群４の押下により操作指示が入力されたことが、携帯電話１が明るい環境にあることを意味し、液晶画面は明るい環境では強く照明した方が見やすいためである。
【００２３】
ＣＰＵ１１は、暗フラグを０に設定すると同時に、計時部１９にＴ２タイマを起動する指示を出力して所定時間ｔ２を計時させ、計時中に操作キー群４の何れかのキーが押下されると、計時部１９にタイマＴ２を再起動させて所定時間ｔ２を計時しなおさせる。そして、ＣＰＵ１１は、計時部１９から所定時間ｔ２の計時終了を示す信号が入力されると、照明を全てＯＦＦにする。
【００２４】
次に、操作キー群４が押下され、入力部１２を介してカメラ５の起動指示が入力された場合に、ＣＰＵ１１により照明制御処理１と並行して実行される撮影制御処理を説明する。
ＣＰＵ１１は、照明制御処理１で設定される暗フラグに基づいて撮影制御処理を実行する。なお、撮影制御処理の開始時の初期設定では、カメラ５の感度が低く、フラッシュ６がＯＦＦとなっている。ＣＰＵ１１は、暗フラグの状態を判別して、暗フラグが１の場合、すなわち照明キー３の入力があり、携帯電話１が暗い環境にあると判断される場合には、カメラの感度を上げるとともにフラッシュ６を起動する。一方、暗フラグが０の場合には、ＣＰＵ１１は携帯電話１が明るい環境にあるものと判断し、初期設定を変更しない。そして、ＣＰＵ１１は、カメラ５及びフラッシュ６の設定後、カメラ５を起動してメイン表示画面２に被写体をプレビュー表示させ、操作キー群４のシャッターキーが押下されると画像を撮影し、撮影制御処理を終了する。
【００２５】
なお、ＣＰＵ１１は、上記撮影制御処理において、操作キー群４の押下によりカメラ５の起動指示、又はシャッターを切る指示が入力されると、この指示入力を照明制御処理１における暗フラグ設定に反映する。
また、本実施の形態では、カメラ５の起動やシャッターを切るための指示入力を操作キー４を介して行うこととするが、例えば、携帯電話１にカメラ起動用又はシャッター用の個別のボタンなどを設けてもよい。また、撮影の対象は静止画像でも動画でもよい。
【００２６】
照明制御処理２は、カメラ５を利用して撮影した画像の光量に基づいてメイン表示画面２、サブ表示画面７、及び操作キー群４の照明を実行する処理である。
ここで、照明制御処理２で使用するＴ１タイマ及びＴ２タイマは、照明制御処理１と同様に、各々フラグを０にするまでの時間と、照明をＯＦＦにするまでの時間とを計るためのタイマである。ただし、照明制御処理２においてＴ１タイマ及びＴ２タイマにセットされる所定時間は照明制御処理１の場合とは異なり、所定時間ｔ１は、タイマ２にセットされた所定時間ｔ２よりも短く、例えば、所定時間ｔ１は３０秒、所定時間ｔ２は３分に設定される。
【００２７】
ＣＰＵ１１は、照明をＯＦＦ、暗フラグを０にした状態で照明制御処理を開始し、照明キー３又は操作キー群４の押下信号が入力部１２を介して入力され、かつ暗フラグが０の場合に、カメラ５を起動して画像を撮影し、撮影後すぐにカメラ５の動作を終了させて消費電力の浪費を防ぐ。
【００２８】
次いで、ＣＰＵ１１は、撮影した画像を解析して光量を計測するとともに記憶装置１５から光量の閾値を読み出し、撮影した画像の光量が閾値未満であると、携帯電話１が暗い環境にあると判断し、暗フラグを１に設定し、計時部１９にＴ１タイマ及びＴ２タイマを起動させる。また、照明装置２０によりメイン表示画面２及びサブ表示画面７を弱く照明させるとともに、操作キー群４を照明する。そして、所定時間ｔ２の計時終了を示す信号が計時部１９から入力されると照明をＯＦＦにする。
【００２９】
一方、照明制御処理２において、撮影した画像の光量が閾値以上である場合には、ＣＰＵ１１は、携帯電話１が明るい環境にあると判断し、照明装置２０によりメイン表示画面２及びサブ表示画面７を強く照明させ、計時部１９によりＴ２タイマを起動させる。
【００３０】
一方、照明キー３又は操作キー群４の押下信号が入力部１２を介して入力され、かつ暗フラグが１の場合には、携帯電話１が暗い環境にあると判断し、カメラ５は起動せずに計時部１９によりＴ２タイマを起動させ、表示装置２０によりメイン表示画面２及びサブ表示画面７を弱く照明させるとともに、操作キー群４を照明させる。そして、所定時間ｔ２の計時終了を示す信号が計時部１９から入力されると照明をＯＦＦにする。
ＣＰＵ１１は、暗フラグが１のときにＴ１タイマを再起動しないため、消費電力を抑えることができる。
【００３１】
上記照明制御処理２においては、照明制御処理１とは異なり、Ｔ１タイマにセットされた所定時間ｔ１がＴ２タイマにセットされた所定時間ｔ２よりも短く設定されている。このため照明をＯＦＦにする前に暗フラグの設定を変更でき、携帯電話１の周囲の明るさの変化に短時間ごとに対応した照明制御を行える。但し、本処理によるとカメラの起動回数が多くなり、消費電力が増加する。カメラの起動回数に伴う消費電力を低減するためには、照明制御処理１の場合と同様に所定時間ｔ１を所定時間ｔ２よりも長く設定すればよい。
【００３２】
なお、照明制御処理２が選択された状態で入力部１２を介してカメラの起動指示が入力されると、ＣＰＵ１１は、前述した撮影制御処理と同様の手順で暗フラグの設定、カメラ５の感度設定、フラッシュ６の起動設定を行って画像を撮影する。また、シャッターキーの押下やカメラの起動に伴う暗フラグの設定を上記照明制御処理２に反映させる。
【００３３】
入力部１２は、テンキー、各種機能キー、画像の撮影時に使用するシャッターキーなどを有し、そのキー操作による押下信号をＣＰＵ１１に出力する。入力部１２は、図１に示す照明キー３及び操作キー群４を含む。
なお、入力部１２は、請求項に記載の操作部としての機能を有する。
【００３４】
表示部１３は、ＬＣＤ（Ｌｉｑｕｉｄ　Ｃｒｙｓｔａｌ　Ｄｉｓｐｌａｙ）パネル等により構成され、ＣＰＵ１１から入力される表示データに基づいて画面表示を行う。表示部１３は、図１に示すメイン表示画面２及びサブ表示画面７を含む。
なお、表示部１３は、請求項に記載の表示部としての機能を有する。
【００３５】
無線通信制御部１４は、アンテナ１４１を有しており、ＣＰＵ１１から入力される指示に従って、基地局（図示省略）との間でＩＭＴ−２０００準拠の通信方式（例えば、Ｗ−ＣＤＭＡやｃｄｍａ２０００）に対応する携帯電話用の通信プロトコルを実行し、この通信方式で設定される通信チャネルにより、送受話音声の送受信やデータ通信を実行する。
【００３６】
記憶装置１５は、ＣＰＵ１１により実行される携帯電話用の各種アプリケーションプログラムや通信処理プログラム、及びその処理プログラムで処理されたデータ等を記憶する。具体的には、記憶装置１５は、ＣＰＵ１１による照明制御処理１，２において使用される照明制御処理プログラムと、撮影制御処理において使用される撮影制御処理プログラムとを記憶する。また、この記憶装置１５は、ＡＳＣＩＩコード等のフォントデータを格納している。更に、記憶装置１５は、ＣＰＵ１１による照明制御手段３において使用される光量の閾値と、暗フラグとを記憶している。
なお、記憶装置１５は、請求項に記載の記憶手段としての機能を有する。
【００３７】
送受話部１６は、マイク、スピーカー、Ａ／Ｄ変換部、及びＤ／Ａ変換部を有し、マイクから入力されるユーザの送話音声をＡ／Ｄ変換処理して、その送話音声データをＣＰＵ１１に出力するとともに、ＣＰＵ１１から入力される受話音声データをＤ／Ａ変換処理して、受話音声としてスピーカーから出力する。
【００３８】
撮影部１７は、ガラス又はプラスチックからなる光学レンズ、及びＣＣＤ（Ｃｈａｒｇｅ　Ｃｏｕｐｌｅｄ　Ｄｉｏｄｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）等の光学センサにより構成され、光学レンズを介して入力される画像を光学センサで電気信号に変換し、画像データを生成する。撮影部１７は、図１に示したカメラ５を含む。
なお、撮影部１７は、請求項に記載の撮像手段としての機能を有する。
【００３９】
Ｉ／Ｆ１８は、外部装置と接続するためのインターフェイスであり、Ｉ／１８を介して他の装置と接続して、携帯電話１と他の装置との間で、データの転送速度の調整や、データ形式の変換を行い、両者間におけるデータの授受を仲介する。
【００４０】
計時部１９は、ＣＰＵ１１からの指示入力に従って所定時間を計る。具体的には、Ｔ１タイマ及びＴ２タイマとして機能する。計時部１９は、Ｔ１タイマ用の所定時間ｔ１と、Ｔ２タイマ用の所定時間ｔ２とがセットされており、ＣＰＵ１１から起動を指示する信号が入力されると起動し、所定時間ｔ１又はｔ２が経過すると計時終了を通知する信号をＣＰＵ１１に出力する。
なお、計時部１９は、請求項に記載の計時手段としての機能を有する。
【００４１】
照明装置２０は、発行ダイオードなどにより構成され、入力部１２や表示部１３に設けられた図示しないバックライトと、カメラ５による撮影時に被写体を照明するフラッシュ６である。照明装置２０は、ＣＰＵ１１による照明制御処理１及び照明制御処理２において、ＣＰＵ１１からの指示入力に従い、照明キー３、操作キー群４、メイン表示画面２、及びサブ表示画面７の各部に隣接して設けられたバックライトとフラッシュ６の点灯及び消灯を行う。
なお、照明装置２０は、請求項に記載の照明手段としての機能を有する。
【００４２】
次に、本発明を適用した携帯電話１の動作を説明する。
まず、図３のフローチャートを参照して、照明制御処理１について説明する。
図３に示すように、照明制御処理１において、ＣＰＵ１１は、照明キー３の押下信号が入力部１２を介して入力されたか否かを判別し（ステップＳ１）、入力されない場合は（ステップＳ１；ＮＯ）、ステップＳ４に移行する。一方、照明キー３の押下信号が入力されると（ステップＳ１；ＹＥＳ）、ＣＰＵ１１は暗フラグを１に設定するとともに、計時部１９によりＴ１タイマ及びＴ２タイマを起動させ（ステップＳ２）、照明装置２０によりメイン表示画面２、サブ表示画面７を弱く照明し、操作キー群４を照明して（ステップＳ３）、ステップＳ４に移行する。
【００４３】
ステップＳ４において、ＣＰＵ１１は操作キー４の押下信号が入力されたか否かを判別し、入力されない場合は（ステップＳ４；ＮＯ）、ステップＳ１０に移行する。一方、操作キー４の押下信号が入力されると（ステップＳ４；ＹＥＳ）、暗フラグの状態を判別し（ステップＳ５）、暗フラグが１の場合には（ステップＳ５；１）、計時部１９にＴ１タイマ及びＴ２タイマを起動、又は再起動させ（ステップＳ６）、照明装置２０によりメイン表示画面２及びサブ表示画面７を強く照明させるとともに、操作キー群４を照明させ（ステップＳ７）、ステップＳ１０に移行する。また、上記ステップＳ５において、暗フラグが０の場合には（ステップＳ５；０）、計時部１９によりＴ２タイマを起動、又は再起動させ（ステップＳ８）、照明装置２０によりメイン表示画面２及びサブ表示画面７を強く照明させてステップＳ１０に移行する。
【００４４】
ＣＰＵ１１は、ステップＳ１０において、計時部１９から所定時間ｔ２の計時終了を通知する信号が入力されたか否かを判別し、入力がなければ（ステップＳ１０；ＮＯ）、ステップＳ１に戻り、入力があると（ステップＳ１０；ＹＥＳ）、照明装置２０によるメイン表示画面２、サブ表示画面７、及び操作キー群４の照明を消灯させる（ステップＳ１１）。
【００４５】
次いで、ＣＰＵ１１は、計時部１９から所定時間ｔ１の計時終了を通知する信号が入力されたか否かを判別し（ステップＳ１２）、入力がなければ（ステップＳ１２；ＮＯ）、待機を続け、入力があると（ステップＳ１２；ＹＥＳ）、暗フラグを０にして（ステップＳ１３）ステップＳ１に戻る。また、計時部１９においてＴ１タイマが起動されていない場合には（ステップＳ１２：Ｔ１タイマのセットなし）、ステップＳ１に戻る。
【００４６】
次いで、図４のフローチャートを参照して撮影制御処理について説明する。
ＣＰＵ１１は、カメラ５を起動する指示が入力部１２を介して入力されると、感度が低く、フラッシュがＯＦＦの初期設定で撮影制御処理を開始し、暗フラグの状態を判別して（ステップＳ１５）、暗フラグが１の場合は（ステップＳ１５；１）、カメラ５の感度を高く、フラッシュをＯＮに設定して（ステップＳ１６）、ステップＳ１７に移行する。一方、ステップＳ１１において暗フラグが０の場合には（ステップＳ１５；０）、感度及びフラッシュの設定を変更せずにステップＳ１３に移行する。
【００４７】
続いて、ＣＰＵ１１は、メイン表示画面２に被写体をプレビュー表示し（ステップＳ１７）、シャッターの押下信号が入力部１２を介して入力されたか否かを判別する（ステップＳ１８）。シャッターの押下信号が入力されない場合は（ステップＳ１８；ＮＯ）、ステップＳ１５に戻り、シャッターの押下信号が入力されると（ステップＳ１８；ＹＥＳ）、被写体を撮影して（ステップＳ１９）、撮影制御処理を終了する。
【００４８】
次に、図５のフローチャートを参照して照明制御処理２について説明する。
図５に示すように、ＣＰＵ１１は、照明をＯＦＦ、暗フラグを０に設定した状態で照明制御処理２を開始し、照明キー３又は操作キー群４の何れかのキーの押下信号が入力部１２から入力されたか否かを判別し（ステップＳ２１）、入力がなければ（ステップＳ２１；ＮＯ）、待機を続け、入力があると（ステップＳ２１；ＹＥＳ）、暗フラグの状態を判別する（ステップＳ２２）。
【００４９】
ステップＳ２２において、ＣＰＵ１１は、暗フラグが０であると判別すると（ステップＳ２２；０）、カメラ５を起動して画像を撮影してカメラ５を終了する（ステップＳ２３）。次いで、撮影した画像を解析して（ステップＳ２４）、撮影した画像の光量と記憶装置１５に記憶された光量の閾値とを比較し（ステップＳ２５）、画像の光量が閾値以上であれば（ステップＳ２３；ＹＥＳ）、計時部１９によりＴ２タイマを起動させ（ステップＳ２６）、照明装置２０によりメイン表示画面２、サブ表示画面７を強く照明させ（ステップＳ２７）、所定時間ｔ２の計時終了を通知する信号が入力部１２から入力されたか否かを判別する（ステップＳ２８）。
【００５０】
ステップＳ２８において、計時部１９から所定時間ｔ２の計時終了を通知する信号が入力されると（ステップＳ２８；ＹＥＳ）、メイン表示画面２及びサブ表示画面７の照明をＯＦＦにして（ステップＳ３５）、ステップＳ２１に戻る。一方、ステップＳ２８において、所定時間ｔ２の計時終了を通知する信号が入力されないと（ステップＳ２８；ＮＯ）、照明キー３又は操作キー群４からの押下信号の有無を判別し（ステップＳ２９）、入力がなければ（ステップＳ２９；ＮＯ）、ステップＳ３２に移行し、入力があると（ステップＳ２８；ＹＥＳ）、所定時間ｔ１の計時終了を通知する信号が計時部１９から入力されたか否かを判別し（ステップＳ３３）、入力がなければ（ステップＳ３３；ＮＯ）、ステップＳ２２に戻り、入力があると（ステップＳ３３；ＹＥＳ）、暗フラグを０にして（ステップＳ３４）、ステップＳ２２に戻る。
【００５１】
なお、上記ステップＳ２２において、ＣＰＵ１１が、暗フラグが１であると判別した場合には（ステップＳ２２；１）、計時部１９によりＴ２タイマを起動させ（ステップＳ３１）、照明装置２０によりメイン表示画面２及びサブ表示画面７を弱く照明させるとともに、操作キー群４を照明させて（ステップＳ３２）、ステップＳ２８に移行する。
【００５２】
また、上記ステップＳ２５において、撮影した画像の光量が閾値未満の場合には（ステップＳ２５；ＮＯ）、暗フラグを１に設定し、計時部１９にＴ１タイマを起動させて（ステップＳ３０）、ステップＳ３１に移行する。
【００５３】
以上説明したように、携帯電話１のＣＰＵ１１は、照明制御処理１において、照明キー３が押下されると暗フラグを１に設定し、照明装置２０によりメイン表示画面２及びサブ表示画面７を弱く照明するとともに操作キー群４を照明し、計時部１９にＴ１タイマ及びＴ２タイマによる計時を開始させる。一方、照明キー３の押下なしに操作キー群４の何れかのキーが押下されると、暗フラグを０に設定し、照明装置２０によりメイン表示画面２及びサブ表示画面７を強く照明し、計時部１９にＴ２タイマによる計時を開始させる。次いで、Ｔ２タイマによる計時が終了すると、照明をＯＦＦにし、Ｔ１タイマによる計時が終了した場合、又はＴ１タイマがセットされていない場合には、暗フラグを０に設定する。
【００５４】
また、ＣＰＵ１１は、撮影制御処理において、暗フラグが０であれば初期設定のままで、また、暗フラグが１であればカメラ５の感度設定を高く、フラッシュをＯＮ設定する。そして、画像をメイン表示画面２にプレビュー表示した後、撮影処理を実行する。
【００５５】
また、ＣＰＵ１１は、照明制御処理２において、入力部１２から照明キー３又は操作キー群４の押下信号が入力されると、暗フラグが１であればメイン表示画面２及びサブ表示画面７を照明装置２０により弱く照明するとともに、操作キー群４を照明する。次いで、照明動作開始後、又は暗フラグが０の場合に、カメラ５を起動して画像を撮影し、撮影した画像を解析して得られる光量を閾値と比較する。そして、撮影された画像の光量が閾値以上であれば、計時部１９によりＴ２タイマを起動させ、所定時間ｔ２が経過するまでメイン表示画面２及びサブ表示画面７を強く照明する。一方、画像の光量が閾値未満の場合は、暗フラグを１に設定し、Ｔ１タイマ及びＴ２タイマを起動させ、所定時間ｔ２が経過するまでメイン表示画面２及びサブ表示画面７を弱く照明するとともに、操作キー群４を照明し、所定時間ｔ１が経過すると暗フラグを０に設定する。
【００５６】
したがって本発明によれば、操作入力に基づいて周囲の明るさを判断し、周囲が明るい場合には操作部を照明せずに表示部のみを強く照明して見やすくすることができる。一方、周囲が暗い場合には、操作部一定の明るさで照明し、表示部は弱く照明することにより消費電力を抑え、待受時間を延ばすとともに、ユーザが暗所で眩し過ぎると感じることがないように表示部を見やすくできる。また、周囲の明るさに応じて撮影処理時の照明や撮影装置の感度設定を制御できる。
【００５７】
また、本発明によれば、周囲の明るさを判断するための特別な部品を追加する必要がなく、コストを抑え、小型化することができる。また、照明の要求が一度入力されると、所定時間照明を続け、操作入力に応じて照明時間を延長するため、ユーザは何度も照明を要求する入力を行う必要がなく、操作が簡単である。更に、上述のように、周囲が明るい場合の照明と、暗い場合の照明とを個別に制御することにより、無駄な電力消費を防ぎ、操作部及び表示部を見やすく照明して操作性を向上させることができる。
【００５８】
なお、本発明は、上記実施の形態に限定されるものではなく、本発明の趣旨を逸脱しない範囲で適宜変更可能である。例えば、上記の実施の形態の照明キー３は、周囲が暗いときに使用されるため、ユーザが見つけやすく、操作しやすいように夜光塗料を塗布してもよい。
【００５９】
また、上記実施の形態においては、照明キー３は、操作キー群４の他に個別に設けることとしたが、個別に設けずに、既存のキーを兼用してもよい。この場合には、例えば、既存の任意のキーを長押しすることで照明キーとして機能させることができる。また、上記実施の形態のように、照明キーを個別に設ける場合には、折りたたみ式の携帯電話機であれば、例えば照明キーの長押しによって、サブ表示画面に時刻などを表示／非表示させるなど、複数の機能を持たせることができる。この他、照明キーをトグルにして、照明キーが押下されるごとに暗フラグを１と０で切り替えるように構成することにより照明キーを照明の切り換え用のボタンとして使用できる。
【００６０】
また、上記実施の形態における照明制御処理１，２又は撮影制御処理において、電話やメールなどの着信による割り込み入力が合った場合に、着信はユーザにとって緊急性、重要性が高い場合が多いため、暗フラグが１に設定されている状態でも表示画面の照明を強くしてもよい。これによりユーザは着信に気付きやすくなる。
【００６１】
その他、本実施の形態における携帯電話１の細部構成、及び詳細動作に関しても、本発明の趣旨を逸脱しない範囲で適宜変更可能である。
【００６２】
【発明の効果】
本発明を適用した携帯電話機によれば、操作部からの入力に基づいて周囲の明るさを判別し、この判別結果に基づいて必要な時に必要な部分のみを照明することによって、操作性を向上させるとともに、消費電力を抑えて待受時間を延ばすことができる。
【図面の簡単な説明】
【図１】
本発明の一実施の形態による携帯電話１の外観構成例である。（ａ）は正面（表示画面側）から見た図であり、（ｂ）は、背面（カメラ側）から見た図である。
【図２】本発明の一実施の形態による携帯電話１の機能的構成を示すブロック図である。
【図３】図２のＣＰＵ１１による照明制御処理１を示すフローチャートである。
【図４】図２のＣＰＵ１１による撮影制御処理を示すフローチャートである。
【図５】図２のＣＰＵ１１による照明制御処理２を示すフローチャートである。
【符号の説明】
１　　携帯電話
２　　メイン表示画面
３　　照明キー
４　　操作キー群
５　　カメラ
６　　フラッシュ
７　　サブ表示画面
１１　ＣＰＵ
１２　入力部
１３　表示部
１４　無線通信制御部
１５　記憶装置
１６　送受話部
１７　撮影部
１８　Ｉ／Ｆ
１９　計時部
２０　照明装置
２１　バス
１４１　アンテナ
【図１】
2004023357.tif 000003
【図２】
2004023357.tif 000004
【図３】
2004023357.tif 000005
【図４】
2004023357.tif 000006
【図５】
2004023357.tif 000007